【手続補正書】
【提出日】平成27年5月1日(2015.5.1)
【手続補正１】
【補正対象書類名】特許請求の範囲
【補正対象項目名】全文
【補正方法】変更
【補正の内容】
【特許請求の範囲】
【請求項１】
インクを吐出するノズルが配置されたノズル面を有するインクジェットヘッドの清掃装置において、
吸収性を有する長尺状の払拭部材を長手方向に搬送経路に沿って走行させる払拭部材走行手段と、
前記払拭部材に洗浄液を付与する洗浄液付与手段と、
前記洗浄液が付与された払拭部材を前記ノズル面に押圧当接させる押圧手段と、
前記押圧手段を前記ノズル面に沿って摺動させる摺動手段と、
インクと洗浄液との混合液の表面張力と粘度とによって表される関係であって、前記ノズル面の撥液性能に対応した清掃後の液残りの有無の境界を示す関係を記憶する記憶部と、
前記液残りの有無の境界を示す関係から、液残りの無い条件を満たす前記混合液の混合比率を算出する手段と、
清掃時の前記払拭部材と前記ノズル面との当接部分における混合液の混合比率Ｒであって、前記ノズル面に付着したインク量Ｍ［ｍｇ／ｍｍ２］、前記払拭部材走行手段による前記払拭部材の走行速度Ｖｗｅｂ［ｍｍ／ｓ］、前記洗浄液付与手段による前記払拭部材に付与される洗浄液の量Ｌ［ｍｇ／ｍｍ２］、前記摺動手段による前記押圧手段と前記ノズル面との相対移動速度Ｖｂａｒ［ｍｍ／ｓ］からＲ＝Ｍ・Ｖｂａｒ／（Ｌ・Ｖｗｅｂ）によって表される混合比率Ｒが、前記算出した混合比率を満たすように、前記Ｖｗｅｂ、前記Ｌ、前記Ｖｂａｒ、及び前記インクジェットヘッドの清掃頻度のうちの少なくとも１つを制御する制御手段と、
を備えたインクジェットヘッドの清掃装置。
【請求項２】
前記混合液の表面張力と粘度とによって表される関係は、表面張力と粘度とが異なる複数の混合液について前記ノズル面を清掃したときの該ノズル面における残留の有無を実験的に求めて算出した関係である請求項１に記載のインクジェットヘッドの清掃装置。
【請求項３】
前記液残りの有無の境界を示す関係は、前記複数の混合液についての残留の有無の結果を、横軸を各種混合液の表面張力、縦軸を前記混合液の粘度としたグラフにプロットし、前記プロットから算出した残留の有無の境界線である請求項２に記載のインクジェットヘッドの清掃装置。
【請求項４】
前記洗浄液付与手段は、前記払拭部材の吸収性が飽和状態となる量の洗浄液を付与する請求項１から３のいずれか１項に記載のインクジェットヘッドの清掃装置。
【請求項５】
前記制御手段は、前記ノズル面に最もインクが付着している状態を想定して前記インクジェットヘッドの清掃頻度を制御する請求項１から４のいずれか１項に記載のインクジェットヘッドの清掃装置。
【請求項６】
インクを吐出するノズルが配置されたノズル面を有するインクジェットヘッドと、
前記インクジェットヘッドと記録媒体とを相対的に移動させながら、前記ノズルからインクを吐出して前記記録媒体上に記録を行う記録手段と、
請求項１から５のいずれか１項に記載のインクジェットヘッドの清掃装置と、
を備えたインクジェット記録装置。
【請求項７】
前記インクジェットヘッドの前記ノズルを保湿する保湿手段と、
前記記録手段によって前記記録媒体上に記録を行う記録位置と前記保湿手段によって前記ノズルを保湿する保湿位置とに前記インクジェットヘッドを移動させる移動手段と、
を備え、
前記インクジェットヘッドの清掃装置は、前記記録位置と前記保湿位置との間に配置されている請求項６に記載のインクジェット記録装置。
【請求項８】
インクを吐出するノズルが配置されたノズル面を有するインクジェットヘッドの清掃方法において、
吸収性を有する長尺状の払拭部材を長手方向に搬送経路に沿って走行させる払拭部材走行工程と、
前記払拭部材に洗浄液を付与する洗浄液付与工程と、
前記洗浄液が付与された払拭部材を前記ノズル面に押圧当接させる押圧工程と、
前記ノズル面に押圧された払拭部材を前記ノズル面に沿って摺動させる摺動工程と、
インクと洗浄液との混合液の表面張力と粘度とによって表される関係であって、前記ノズル面の撥液性能に対応した清掃後の液残りの有無の境界を示す関係を記憶手段から読み出し、液残りの無い条件を満たす前記混合液の混合比率を算出する工程と、
清掃時の前記払拭部材と前記ノズル面との当接部分における混合液の混合比率Ｒであって、前記ノズル面に付着したインク量Ｍ［ｍｇ／ｍｍ２］、前記払拭部材走行工程による前記払拭部材の走行速度Ｖｗｅｂ［ｍｍ／ｓ］、前記洗浄液付与工程による前記払拭部材に付与される洗浄液の量Ｌ［ｍｇ／ｍｍ２］、前記摺動工程による前記払拭部材と前記ノズル面との相対移動速度Ｖｂａｒ［ｍｍ／ｓ］からＲ＝Ｍ・Ｖｂａｒ／（Ｌ・Ｖｗｅｂ）によって表される混合比率Ｒが、前記算出した混合比率を満たすように、前記Ｖｗｅｂ、前記Ｌ、前記Ｖｂａｒ、及び前記インクジェットヘッドの清掃頻度のうちの少なくとも１つを制御する制御工程と、
を備えたインクジェットヘッドの清掃方法。
【手続補正２】
【補正対象書類名】明細書
【補正対象項目名】発明の名称
【補正方法】変更
【補正の内容】
【発明の名称】インクジェットヘッドの清掃装置及び清掃方法、並びにインクジェット記録装置
【手続補正３】
【補正対象書類名】明細書
【補正対象項目名】０００１
【補正方法】変更
【補正の内容】
【０００１】
本発明は、インクジェットヘッドの清掃装置及び清掃方法、並びにインクジェット記録装置に関し、特に洗浄液を付与した払拭部材によりインクジェットヘッドのノズル面を払拭するヘッドクリーニング技術に関する。
【手続補正４】
【補正対象書類名】明細書
【補正対象項目名】００１２
【補正方法】変更
【補正の内容】
【００１２】
本発明はこのような事情に鑑みてなされたもので、混合液の物性を制御することでノズル面を液残りなく洗浄することができるインクジェットヘッドの清掃装置及び清掃方法、並びにインクジェット記録装置を提供することを目的とする。
【手続補正５】
【補正対象書類名】明細書
【補正対象項目名】００１３
【補正方法】変更
【補正の内容】
【００１３】
上記目的を達成するためにインクジェットヘッドの清掃装置の一の態様は、インクを吐出するノズルが配置されたノズル面を有するインクジェットヘッドの清掃装置において、吸収性を有する長尺状の払拭部材を長手方向に搬送経路に沿って走行させる払拭部材走行手段と、払拭部材に洗浄液を付与する洗浄液付与手段と、洗浄液が付与された払拭部材をノズル面に押圧当接させる押圧手段と、押圧手段をノズル面に沿って摺動させる摺動手段と、インクと洗浄液との混合液の表面張力と粘度とによって表される関係であって、ノズル面の撥液性能に対応した清掃後の液残りの有無の境界を示す関係を記憶する記憶部と、液残りの有無の境界を示す関係から、液残りの無い条件を満たす混合液の混合比率を算出する手段と、清掃時の払拭部材とノズル面との当接部分における混合液の混合比率Ｒであって、ノズル面に付着したインク量Ｍ［ｍｇ／ｍｍ２］、払拭部材走行手段による払拭部材の走行速度Ｖｗｅｂ［ｍｍ／ｓ］、洗浄液付与手段による払拭部材に付与される洗浄液の量Ｌ［ｍｇ／ｍｍ２］、摺動手段による押圧手段とノズル面との相対移動速度Ｖｂａｒ［ｍｍ／ｓ］からＲ＝Ｍ・Ｖｂａｒ／（Ｌ・Ｖｗｅｂ）によって表される混合比率Ｒが、算出した混合比率を満たすように、Ｖｗｅｂ、Ｌ、Ｖｂａｒ、及びインクジェットヘッドの清掃頻度のうちの少なくとも１つを制御する制御手段とを備えた。
上記目的を達成するためにインクジェットヘッドの清掃方法の一の態様は、インクを吐出するノズルが配置されたノズル面を有するインクジェットヘッドの清掃方法において、吸収性を有する長尺状の払拭部材を長手方向に搬送経路に沿って走行させる払拭部材走行工程と、払拭部材に洗浄液を付与する洗浄液付与工程と、洗浄液が付与された払拭部材をノズル面に押圧当接させる押圧工程と、ノズル面に押圧された払拭部材をノズル面に沿って摺動させる摺動工程と、インクと洗浄液との混合液の表面張力と粘度とによって表される関係であって、ノズル面の撥液性能に対応した清掃後の液残りの有無の境界を示す関係を記憶手段から読み出し、液残りの無い条件を満たす混合液の混合比率を算出する工程と、清掃時の払拭部材とノズル面との当接部分における混合液の混合比率Ｒであって、ノズル面に付着したインク量Ｍ［ｍｇ／ｍｍ２］、払拭部材走行工程による払拭部材の走行速度Ｖｗｅｂ［ｍｍ／ｓ］、洗浄液付与工程による払拭部材に付与される洗浄液の量Ｌ［ｍｇ／ｍｍ２］、摺動工程による払拭部材とノズル面との相対移動速度Ｖｂａｒ［ｍｍ／ｓ］からＲ＝Ｍ・Ｖｂａｒ／（Ｌ・Ｖｗｅｂ）によって表される混合比率Ｒが、算出した混合比率を満たすように、Ｖｗｅｂ、Ｌ、Ｖｂａｒ、及びインクジェットヘッドの清掃頻度のうちの少なくとも１つを制御する制御工程とを備えた。
前記目的を達成するためにインクジェットヘッドの清掃装置の一の態様は、インクを吐出するノズルが配置されたノズル面を有するインクジェットヘッドの清掃装置において、吸収性を有する長尺状の払拭部材を長手方向に所定の搬送経路に沿って走行させる払拭部材走行手段と、払拭部材に洗浄液を付与する洗浄液付与手段と、洗浄液が付与された払拭部材をノズル面に押圧当接させる押圧手段と、押圧手段をノズル面に沿って摺動させる摺動手段とを備え、払拭部材とノズル面との当接部分におけるインクと洗浄液との混合液の状態を、混合液の表面張力と粘度との関係によって表される予め定められた関係を満たす状態にしてノズル面を清掃する。